(57)【要約】【課題】加工が簡単で顔面の形状に容易に適合する衛生マスクを得る。【解決手段】本発明はマグネシユーム合金の薄板によって成形される金属製衛生マスク１であって、該金属製衛生マスク１は、裏面側が凹設され、且つ、該凹設部２に表裏両面に貫通された多数の通気孔４，４…を有する平面視略円形の本体部５と、該本体部５の左右側面に、該本体部の凹設部２に続いて裏面側が凹設された左右延設部６，７と、該本体部５の凹設部２上方部位中央部に鼻の隆起部に適合させるべく略三角形状に凹設された上部延設部９と、該凹設部２下方部位中央部に口部下面に当接し、且つ、口部に空間部を形成すべく形成された下部延設部１１とから成り、且つ、上記左右延設部６，７に夫々耳かけ用紐１３，１３が取り付けられた金属製衛生マスクを提供する。【選択図】  図２
2005000585.tif 000002
【特許請求の範囲】
【請求項１】
マグネシユーム合金の薄板によって成形される金属製衛生マスクであって、該金属製衛生マスクは、裏面側が凹設され、且つ、該凹設部に表裏両面に貫通された多数の通気孔を有する平面視略円形の本体部と、該本体部の左右側面に、該本体部の凹設部に続いて裏面側が凹設された左右延設部と、該本体部の凹設部上方部位中央部に鼻の隆起部に適合させるべく略三角形状に凹設された上部延設部と、該凹設部下方部位中央部に口部下面に当接し、且つ、口部に空間部を形成すべく形成された下部延設部とから成り、且つ、上記左右延設部に夫々耳かけ用紐が取り付けられたことを特徴とする金属製衛生マスク。
【発明の詳細な説明】
【０００１】
【発明の属する技術分野】
本発明は衛生マスクに関するものであり、特に、マグネシユーム合金の薄板によって成形された金属製衛生マスクに関するものである。
【０００２】
【従来の技術】
従来、此種マグネシユーム合金によって成形された衛生マスクは嘗て存在しない。然し乍ら、屈曲自在の針金を用いた衛生マスクが知られている。（特許文献１）
而して、同文献に開示されている衛生マスクは、マスク本体の左右両側部に耳掛け紐を取り付け、そして、マスク本体の上方部を一旦内側下方へ折れ曲げた上で再び、内側上方へ折れ曲げ形成し、当該上部折り畳み部の先端縁には屈曲自在な針金を取り付け、当該先端縁の中央部分を拡開して鼻の部分から頬の部分にかけて上から密着支持し、又、マスク本体の下方部を内側上方へ折れ曲げ形成し、当該折曲部の中央部分を拡開して顎の部分に下から掛着支持できるように構成されて成るものである。
【０００３】
【特許文献１】
特開平１０−５３６０号（特許請求の範囲、図１）
【０００４】
【発明が解決しようとする課題】
而して、上記特許文献１記載の発明に於いては、マスク本体の上方部を一旦内側下方へ折り曲げ、更に、再び内側上方へ折り曲げて形成した凹部に屈曲自在の針金を取り付け、該針金を屈曲調整して顔面形状に適合させようとするものであるから、針金の取り付け及び該針金を収納する手段の縫成加工等が面倒であり、且つ、該針金の屈曲調整によって顔面の形状に適合させる操作にも難点がある。
【０００５】
そこで、加工が簡易で、顔面の形状に容易に適合する衛生マスクを得るために解決せられるべき技術的課題が生じてくるのであり、本発明は該課題を解決することを目的とする。
【０００６】
【課題を解決するための手段】
本発明は上記目的を達成するために提案せられたものであり、マグネシユーム合金の薄板によって成形される金属製衛生マスクであって、該金属製衛生マスクは、裏面側が凹設され、且つ、該凹設部に表裏両面に貫通された多数の通気孔を有する平面視略円形の本体部と、該本体部の左右側面に、該本体部の凹設部に続いて裏面側が凹設された左右延設部と、該本体部の凹設部上方部位中央部に鼻の隆起部に適合させるべく略三角形状に凹設された上部延設部と、該凹設部下方部位中央部に口部下面に当接し、且つ、口部に空間部を形成すべく形成された下部延設部とから成り、且つ、上記左右延設部に夫々耳かけ用紐が取り付けられた金属製衛生マスクを提供するものである。
【０００７】
【発明の実施の形態】
以下、本発明の一実施の形態を図１乃至図４に従って詳述する。図に於いて１は本発明の金属製衛生マスクを示す。該金属製衛生マスク１はマグネシユーム合金の薄板によって成形される。而して、該金属製衛生マスク１は裏面側が凹設されて形成された凹設部２を有し、且つ、該凹設部２と対象形に形成された凸設部３に上下両面に及んで多数の通気孔４，４…を開穿した平面視略円形に形成された本体部５と、該本体部５の左右側面に、該本体部５の裏面側に凹設された前記凹設部２に続いて裏面側が凹設された左延設部６及び右延設部７と、該凹設部２上方部位中央部に鼻の隆起部に適合するように略三角形状の上方凹部８を有する上部延設部９と、該凹設部２下方部位中央部に口部下面に当接し、且つ、口部に空間部を形成させるべき下方凹部１０を有する下部延設部１１とから成り、且つ、前記左右延設部６及び７には夫々上下端部に小孔１２，１２及び１２，１２が上下に対峙して開穿され、該小孔１２，１２，１２，１２を介して夫々耳かけ用紐１３，１３が該左右延設部６，７に取り付けられている。
【０００８】
本発明の金属製衛生マスク１の一実施の形態は上述する如き構成に係るから、之を着装する場合は、本体部５を顔面の中心部にあてがい、そして、略三角形状の上方凹部８を鼻の上面から被蔽する。このとき、該上方凹部８は略三角形状に形成されて鼻の隆起部に適合することになる。更に、下方凹部１０の下部を口部下面に当接すれば、口部には前記下方凹部１０によって所定の空間部が形成される。
【０００９】
又、左延設部６及び右延設部７に形成されている各裏面凹部を夫々左右の頬部位に当接することにより、該左右延設部６，７が夫々左右の頬部位に適合する。そして、左右の耳かけ用紐１３，１３を引張し乍ら耳に掛止して本発明の金属製衛生マスク１を顔面の中央部に位置する鼻及び口を被蔽する。このとき、本発明の金属製衛生マスク１はマグネシユーム合金の薄板にて成形されているので極めて軽量であって、且つ、弾性に優れているため、手によって自在に屈曲することが可能である。従って、上述したように、本発明の金属製衛生マスク１を顔面に当接したとき、之を顔面形状に適合するように屈曲し乍ら微調整し、そして、本発明の金属製衛生マスク１の周面が顔面の凹凸面に任意に密接して顔面中央部を被蔽させることができるのである。
【００１０】
而も、本発明の金属製衛生マスク１は上述したように、予め顔面中央部の形態に適合するように成形されているので、僅かの微調整によって顔面に着装されるのであるが、このとき、口部には下方凹部１０にて形成される空間部があるので、うっとうしさや息苦しさ或いは違和感等は一切なく、既存のマスクに対する不都合は解消され、且つ、本体部５に設けた通気孔によって通気性にも優れているのである。
【００１１】
又、殺菌作用を保持させた使い捨てフィルターと併用して使用することもできる。この場合は該フィルターは本体部５の裏面に形成された凹設部２内に収容されるから不慮移動するようなことはなく、且つ、空気中に浮遊する毒性菌の殺菌が可能となることは当然であるが、更に又、本発明の金属製衛生マスク１の内側面に抗菌機能を保持させるための特殊の表面処理を施せば、上記殺菌作用はより効果的に助成され、且つ、マグネシユーム自体の特性としても殺菌作用及び防臭作用並びに抗菌作用が期待できるのである。
【００１２】
而して、本発明の金属製衛生マスク１はマグネシユーム合金の薄板をプレス成形して製作することができるので、プレス工程も可及的に短縮でき、従って、低廉なコストにて生産することもできる。更に又、本発明の精神を逸脱しない限りデザインは任意に変更することができ、そして、本発明がこの変更されたものに及ぶことは当然である。
【００１３】
【発明の効果】
本発明の金属製衛生マスクは上記一実施の形態にて詳述したように、マグネシユーム合金の薄板によって、予め顔面中央部位形状に適合するように成形したので、之を顔面にあてがい、そして、マグネシユーム合金の薄板の弾性を利用して任意に形状を微調整して各人の顔面形状にフィットさせることができる。而も、軽量であるため取扱いも容易であり、且つ、マグネシユーム自体の特性として殺菌作用及び防臭作用或いは抗菌作用も期待することができて極めて衛生的であるのみならず、口部には空間部が形成されるので、従来のマスクのようにうっとうしさ、息苦しさ或いは違和感等も解消でき、通気性にも優れている。
【００１４】
従って、花粉対策上或いはＳＡＲＳ等の感染予防に極めて効果的であり、且つ、リサイクルにも適する等、正に諸種の著大なる効果を奏する発明である。
【図面の簡単な説明】
【図１】本発明の一実施の形態を示し、金属製衛生マスクの平面図。
【図２】図１の裏面図。
【図３】図１のＡ−Ａ線断面図。
【図４】図１のＢ−Ｂ線断面図。
【図５】図１に示す金属製衛生マスクの斜面図。
【符号の説明】
１          金属製衛生マスク
２          凹設部
３          凸設部
４          通気孔
５          本体部
６          左延設部
７          右延設部
８          上方凹部
９          上部延設部
１０          下方凹部
１１          下部延設部
１２          孔
１３          耳かけ用紐
【図１】
2005000585.tif 000003
【図２】
2005000585.tif 000004
【図３】
2005000585.tif 000005
【図４】
2005000585.tif 000006
【図５】
2005000585.tif 000007